(57)【特許請求の範囲】
【請求項１】
位置情報を含む配信要求信号を所定の情報配信サーバに送信して、前記所定の情報配信サーバから前記位置情報に対応する配信情報を受信する移動通信端末であって、
所定の測位周期で前記位置情報の測位を実行する測位手段と、
前記情報配信サーバから送信された前記位置情報に近い場所を示すコンテンツ位置情報と、前記コンテンツ位置情報に対応するコンテンツ情報と、前記移動通信端末の前記位置情報の周辺に位置する前記コンテンツ情報の分布に関する情報とを含む前記配信情報を前記位置情報に対応付けて記憶する情報蓄積手段と、
前記情報蓄積手段に記憶されている前記コンテンツ情報の分布に関する情報と、前記情報蓄積手段で記憶しているコンテンツ位置情報とを用いて、最新の前記位置情報に近い未配信の前記コンテンツ情報の件数を推定し、当該推定の結果に基づいて、前記情報配信サーバに前記配信要求信号を送信するか否かを決定する送信判断手段と、
前記送信判断手段により前記情報配信サーバに前記配信要求信号を送信する旨の決定がされると、前記最新の位置情報を含む前記配信要求信号を送信する配信要求信号送信手段と、
を備えることを特徴とする移動通信端末。
【請求項２】
前記コンテンツ情報の分布に関する情報は、前記移動通信端末の前記位置情報に近い場所を示す前記コンテンツ位置情報の周辺の特定領域の内部のコンテンツ密度であることを特徴とする請求項１に記載の移動通信端末。
【請求項３】
前記コンテンツ情報の分布に関する情報は、前記移動通信端末の前記位置情報に近い場所を示す前記コンテンツ位置情報の周辺の特定領域の内部に位置づけられた前記コンテンツ情報に対応する前記コンテンツ位置情報であることを特徴とする請求項１に記載の移動通信端末。
【請求項４】
前記特定領域は、前記移動通信端末の前記位置情報を中心とする円環を描き、該円環の外側領域を分割した領域により特定されることを特徴とする請求項２又は請求項３に記載の移動通信端末。
【請求項５】
請求項１〜請求項４のいずれか一項に記載の移動通信端末に配信情報を配信する情報配信サーバであって、
移動通信端末から送信された位置情報を含む配信要求信号を受信する配信要求信号受信手段と、
コンテンツ情報と該コンテンツ情報に対応するコンテンツ位置情報とが関連付けられて記憶されている配信情報記憶手段と、
前記配信要求信号受信手段により受信された前記位置情報に近い場所を示す前記コンテンツ位置情報と、前記コンテンツ位置情報に対応する前記コンテンツ情報と、前記移動通信端末の前記位置情報の周辺に位置する前記コンテンツ情報の分布に関する情報とを含む前記配信情報を取得する配信情報取得手段と、
前記配信情報取得手段によって取得された前記配信情報を前記移動通信端末に配信する情報配信手段と、
を備えることを特徴とする情報配信サーバ。
【請求項６】
前記コンテンツ情報の分布に関する情報は、前記移動通信端末の前記位置情報に近い場所を示す前記コンテンツ位置情報の周辺の特定領域の内部のコンテンツ密度であることを特徴とする請求項５に記載の情報配信サーバ。
【請求項７】
前記コンテンツ情報の分布に関する情報は、前記移動通信端末の前記位置情報に近い場所を示す前記コンテンツ位置情報の周辺の特定領域の内部に位置づけられた前記コンテンツ情報に対応する前記コンテンツ位置情報であることを特徴とする請求項５に記載の情報配信サーバ。
【請求項８】
前記の特定領域は、前記移動通信端末の前記位置情報を中心とする円環を描き、該円環の外側領域を分割した領域により特定されることを特徴とする請求項６又は請求項７に記載の情報配信サーバ。
【請求項９】
請求項１〜請求項４のいずれか一項に記載の移動通信端末と、
請求項５〜請求項８のいずれか一項に記載の情報配信サーバと、
を備えることを特徴とする情報配信システム。
【請求項１０】
位置情報を含む配信要求信号を送信する移動通信端末と、前記移動通信端末の前記位置情報に対応する配信情報を前記移動通信端末に配信する情報配信サーバとを備える情報配信システムで実行される情報配信方法において、
前記移動通信端末が、前記配信情報に含まれるコンテンツ情報の分布に関する情報と、前記配信情報に含まれるコンテンツ位置情報とを用いて、最新の前記位置情報に近い未配信の前記コンテンツ情報の件数を推定し、当該推定の結果に基づいて、前記配信要求信号を前記情報配信サーバに送信するか否かを決定する送信判断ステップと、
前記送信判断ステップにおいて前記情報配信サーバに対して前記配信要求信号を送信することが決定されると、最新の前記位置情報を含む前記配信要求信号を前記情報配信サーバに送信する配信要求信号送信ステップと、
前記情報配信サーバが、前記配信要求信号送信ステップにおいて送信された前記配信要求信号に含まれた前記最新の位置情報に近い場所を示すコンテンツ位置情報と、前記コンテンツ位置情報に対応するコンテンツ情報と、前記位置情報の周辺に位置する前記コンテンツ情報の分布に関する情報とを含む前記配信情報を前記移動通信端末に送信する情報配信ステップと、
を備えることを特徴とする情報配信方法。
【発明の詳細な説明】
【技術分野】
【０００１】
本発明は、移動通信端末に対して配信情報の配信を行う情報配信サーバ、移動通信端末、情報配信システム及び情報配信方法に関する。
【背景技術】
【０００２】
携帯電話等の移動通信端末に対して、移動通信端末のユーザに有用な情報を配信する通信サービスが広く普及されている。その中でもユーザの現在の位置情報を用いて配信する情報を決定する位置依存通信サービスが広く利用されている。そのような位置依存通信サービスに関する技術を開示するものとしては、特許文献１及び２がある。
【０００３】
特許文献１には、位置情報サーバから送出された特定の位置情報を含むコンテンツ取得要求データを送信した携帯電話に対して、そのデータに含まれた特定の位置情報に関連したコンテンツを携帯電話に送信するコンテンツサーバと、過去に位置情報サーバから送出された位置情報、過去にコンテンツサーバから取得したコンテンツなどの組を記憶する情報蓄積部を有し、コンテンツサーバに対して配信要求を行う携帯電話とを備える情報提供システムが開示されている。
【０００４】
また、特許文献２には、携帯電話が在圏する通信管理エリアに関する管理エリアの位置情報やコンテンツ情報等の各種情報を配信する位置登録サーバ及び情報提供サーバと、これらのサーバに対して配信要求を行う携帯電話とを備える通信システムが開示されている。
【特許文献１】特開２００４−２８９２５６号公報
【特許文献２】特開２００６−１５５５０８号公報
【発明の開示】
【発明が解決しようとする課題】
【０００５】
しかしながら、特許文献１に記載の情報提供システムにおいては、携帯電話が特定の位置情報に関連するコンテンツを情報蓄積部が記憶していない場合に、コンテンツ取得要求データを生成してコンテンツサーバに配信要求を行う。そのため、取得すべきコンテンツ情報の変化がないような移動を伴わない準静止状態であっても、携帯電話が特定の位置情報に関連するコンテンツを情報蓄積部が記憶していない限り、画一的に配信要求が行われてしまい、電力消費の観点から非効率である。また、特許文献２に記載の情報提供システムにおいては、携帯電話が予め初期設定で設定されているタイミングや利用者が設定したタイミングで配信要求を行う。そのため、取得すべきコンテンツ情報が頻繁に変化する高速移動状態の場合には、タイミング間隔によってはコンテンツ情報の更新が遅れることが生じる。従って、電力消費の効率化と移動に対する情報更新の追従性の両立が困難であった。
【０００６】
本発明は、このような問題を鑑みてなされたものであり、消費電力の観点で効率的であり、かつユーザの位置の変化に対する追従性の高い情報配信サーバ、移動通信端末、情報配信システム及び情報配信方法を提供することを目的とする。
【課題を解決するための手段】
【０００７】
上記課題の解決のため、本発明に係る移動通信端末は、位置情報を含む配信要求信号を所定の情報配信サーバに送信して、所定の情報配信サーバから前記位置情報に対応する配信情報を受信する移動通信端末であって、所定の測位周期で位置情報の測位を実行する測位手段と、情報配信サーバから送信された位置情報に近い場所を示すコンテンツ位置情報と、コンテンツ位置情報に対応するコンテンツ情報と、移動通信端末の位置情報の周辺に位置するコンテンツ情報の分布に関する情報とを含む配信情報を位置情報に対応付けて記憶する情報蓄積手段と、情報蓄積手段に記憶されているコンテンツ情報の分布に関する情報と、前記情報蓄積手段で記憶しているコンテンツ位置情報とを用いて、最新の位置情報に近い未配信の前記コンテンツ情報の件数を推定し、当該推定の結果に基づいて、情報配信サーバに前記配信要求信号を送信するか否かを決定する送信判断手段と、送信判断手段により情報配信サーバに配信要求信号を送信する旨の決定がされると、最新の位置情報を含む配信要求信号を送信する配信要求信号送信手段と、を備えることを特徴としている。
【０００８】
本発明に係る移動通信端末は、情報配信サーバから、移動通信端末の位置情報に近い場所を示すコンテンツ位置情報、及びコンテンツ位置情報に対応するコンテンツ情報のみならず、移動通信端末の位置情報の周辺に位置するコンテンツ情報の分布に関する情報も受信する。
【０００９】
これにより、移動通信端末は、コンテンツ情報の分布に関する情報に基づいて最新の位置情報に近い未配信のコンテンツ情報の存在を判定して情報配信サーバに配信要求信号を送信するか否かを決定し、必要である場合にのみ配信要求信号を送信することができる。そのため、従来のように、特定の位置情報に関連するコンテンツを記憶していない時に又は予め決められたタイミング間隔で自動的に配信要求信号が送信されることを回避することができる。従って、本発明に係る移動通信端末によれば、電力消費の効率化と移動に対する情報更新の追従性の両立を図ることができる。
【００１０】
また、本発明に係る移動通信端末によれば、その位置情報の周辺の未取得コンテンツ情報を含むコンテンツ情報の分布を推定することができる。これにより、移動通信端末の位置情報の周辺のコンテンツ情報の分布が一様でない場合であっても対応することができると共に、上記の効果を得ることができる。
【００１１】
また、コンテンツ情報の分布に関する情報は、移動通信端末の位置情報に近い場所を示すコンテンツ位置情報の周辺の特定領域の内部のコンテンツ密度であることが好適である。
【００１２】
移動通信端末の位置情報の周辺に未取得コンテンツ情報を含むコンテンツ情報が多いとき、コンテンツ情報の分布に関する情報として各コンテンツ情報に対応付けられたコンテンツ位置情報そのものを移動通信端末が受信すると、通信量が多くなりバッテリ消費やネットワーク利用の観点から効率的ではない。そのため、コンテンツ情報の分布に関する情報として統計的な値であるコンテンツ密度を利用することで、通信量を軽減し、効率的なバッテリ消費及びネットワーク利用を図ることができる。
【００１３】
また、コンテンツ情報の分布に関する情報は、移動通信端末の位置情報に近い場所を示すコンテンツ位置情報の周辺の特定領域の内部に位置づけられたコンテンツ情報に対応するコンテンツ位置情報であることが好適である。
【００１４】
これにより、コンテンツ情報の分布に関する情報を精度良く把握することができる。また、移動通信端末の位置情報の周辺にコンテンツ情報が少ない場合には通信量も問題にならない。
【００１５】
また、特定領域は、移動通信端末の位置情報を中心とする円環を描き、該円環の外側領域を分割した領域により特定されることが好適である。
【００１６】
これにより、移動通信端末が位置情報の周辺のコンテンツ情報を全方位に等しく保持することができ、移動通信端末のユーザが次に進む方向が予測できない場合であっても、効果的に移動に対する追従性を向上させることができる。
【００１７】
また、本発明に係る情報配信サーバは、上記の移動通信端末に配信情報を配信する情報配信サーバであって、移動通信端末から送信された位置情報を含む配信要求信号を受信する配信要求信号受信手段と、コンテンツ情報と該コンテンツ情報に対応するコンテンツ位置情報とが関連付けられて記憶されている配信情報記憶手段と、配信要求信号受信手段により受信された位置情報に近い場所を示すコンテンツ位置情報と、コンテンツ位置情報に対応するコンテンツ情報と、移動通信端末の位置情報の周辺に位置するコンテンツ情報の分布に関する情報とを含む配信情報を取得する配信情報取得手段と、配信情報取得部によって取得された配信情報を移動通信端末に配信する情報配信手段と、を備えることを特徴とする。
【００１８】
本発明に係る情報配信サーバでは、位置情報を含む配信要求信号を送信した移動通信端末に対して、移動通信端末の位置情報に近い場所を示すコンテンツ位置情報、及びコンテンツ位置情報に対応するコンテンツ情報のみならず、移動通信端末の位置情報の周辺に位置するコンテンツ情報の分布に関する情報も配信される。
【００１９】
これにより、本発明に係る情報配信サーバから配信情報を受信した移動通信端末は、コンテンツ情報の分布に関する情報に基づいて最新の位置情報に近い未配信のコンテンツ情報の存在を判定して情報配信サーバに配信要求信号を送信するか否かを決定し、必要である場合にのみ配信要求信号を送信することができる。そのため、従来のように、特定の位置情報に関連するコンテンツを記憶していない時に又は予め決められたタイミング間隔で、自動的に配信要求信号が送信されることを回避することができる。従って、本発明に係る情報配信サーバによれば、電力消費の効率化と移動に対する情報更新の追従性の両立を図ることができる。
【００２０】
また、本発明に係る情報配信サーバによれば、本情報配信サーバから配信情報を受信した移動通信端末は、その位置情報の周辺の未取得コンテンツ情報を含むコンテンツ情報の分布を推定することができる。これにより、移動通信端末の位置情報の周辺のコンテンツ情報の分布が一様でない場合であっても対応することができると共に、上記の効果を得ることができる。
【００２１】
また、コンテンツ情報の分布に関する情報は、移動通信端末の位置情報に近い場所を示すコンテンツ位置情報の周辺の特定領域の内部のコンテンツ密度であることが好適である。
【００２２】
移動通信端末の位置情報の周辺に未取得コンテンツ情報を含むコンテンツ情報が多いとき、コンテンツ情報の分布に関する情報として各コンテンツ情報に対応付けられたコンテンツ位置情報そのものが情報配信サーバから配信されると、通信量が多くなりバッテリ消費やネットワーク利用の観点から効率的ではない。そのため、コンテンツ情報の分布に関する情報として統計的な値であるコンテンツ密度を利用することで、通信量を軽減し、効率的なバッテリ消費及びネットワーク利用を図ることができる。
【００２３】
また、コンテンツ情報の分布に関する情報は、移動通信端末の位置情報に近い場所を示すコンテンツ位置情報の周辺の特定領域の内部に位置づけられたコンテンツ情報に対応するコンテンツ位置情報であることが好適である。
【００２４】
これにより、コンテンツ情報の分布に関する情報を精度良く把握することができる。また、移動通信端末の位置情報の周辺にコンテンツ情報が少ない場合には通信量も問題にならない。
【００２５】
また、特定領域は、移動通信端末の位置情報を中心とする円環を描き、該円環の外側領域を分割した領域により特定されることが好適である。
【００２６】
これにより、移動通信端末が位置情報の周辺のコンテンツ情報を全方位に等しく保持することができ、移動通信端末のユーザが次に進む方向が予測できない場合であっても、効果的に移動に対する追従性を向上させることができる。
【００２７】
また、本発明に係る情報配信システムは、上記の移動通信端末と、上記の情報配信サーバと、を備えることを特徴とする。
【００２８】
本発明に係る情報配信システムによれば、コンテンツ情報の分布が一様でない場合であっても、バッテリ消費やネットワーク利用の観点での効率性と、移動に対する追従性とが両立する情報配信システムを提供することができる。
【００２９】
また、本発明に係る情報配信方法は、位置情報を含む配信要求信号を送信する移動通信端末と、移動通信端末の位置情報に対応する配信情報を移動通信端末に配信する情報配信サーバとを備える情報配信システムで実行される情報配信方法において、移動通信端末が、配信情報に含まれるコンテンツ情報の分布に関する情報と、配信情報に含まれるコンテンツ位置情報とを用いて、最新の前記位置情報に近い未配信の前記コンテンツ情報の件数を推定し、当該推定の結果に基づいて、配信要求信号を前記情報配信サーバに送信するか否かを決定する送信判断ステップと、送信判断ステップにおいて情報配信サーバに対して配信要求信号を送信することが決定されると、最新の前記位置情報を含む配信要求信号を情報配信サーバに送信する配信要求信号送信ステップと、情報配信サーバが、配信要求信号送信ステップにおいて送信された配信要求信号に含まれた最新の位置情報に近い場所を示すコンテンツ位置情報と、コンテンツ位置情報に対応するコンテンツ情報と、位置情報の周辺に位置するコンテンツ情報の分布に関する情報とを含む配信情報を移動通信端末に送信する情報配信ステップと、を備えることを特徴とする。
【００３０】
本発明に係る情報配信方法によれば、移動通信端末は、コンテンツ情報の分布に関する情報に基づいて最新の位置情報に近い未配信のコンテンツ情報の存在を判定して情報配信サーバに配信要求信号を送信するか否かを決定し、必要である場合にのみ配信要求信号を送信することができる。そのため、従来のように、特定の位置情報に関連するコンテンツを記憶していない時に又は予め決められたタイミング間隔で自動的に配信要求信号が送信されることを回避することができる。従って、本発明に係る情報配信方法によれば、電力消費の効率化と移動に対する情報更新の追従性の両立を図ることができる。
【００３１】
また、本発明に係る情報配信方法によれば、移動通信端末がその位置情報の周辺の未取得コンテンツ情報を含むコンテンツ情報の分布を推定することができる。これにより、移動通信端末の位置情報の周辺のコンテンツ情報の分布が一様でない場合であっても対応することができると共に、上記の効果を得ることができる。
【発明の効果】
【００３２】
本発明に係る情報配信サーバ、移動通信端末、情報配信システム及び情報配信方法によれば、電力消費の効率化と移動に対する情報更新の追従性の両立を図ることができる。
【発明を実施するための最良の形態】
【００３３】
以下、図面と共に本発明に係る情報配信サーバ、移動通信端末、情報配信システム及び情報配信方法の好適な実施形態について詳細に説明する。なお、図面の説明においては、同一要素には同一符号を付し、重複する説明を省略する。
【００３４】
図１は、本実施形態に係る情報配信システム１の機能的構成を示す図である。図１に示すように、情報配信システム１は、移動通信端末１０と、移動通信網（図示せず）を介して移動通信端末１０に接続されている情報配信サーバ２０と、を備える。情報配信システム１は、情報配信サーバ２０が移動通信端末１０に対してユーザにとって有用な情報を含むテキストデータ、映像データ、音声データ等の配信情報を配信するシステムである。
【００３５】
移動通信端末１０は、物理的には、図２に示すように、ＣＰＵ（Central Processing Unit）１０１、ＲＯＭ（Read Only Memory）１０２、主記憶装置であるＲＡＭ（Random Access Memory）１０３、入力デバイス１０４、出力デバイス１０５、通信モジュール１０６、補助記憶装置１０７、電池１０８ａと電池１０８ａのオンオフを制御するコントローラを含む電源ユニット１０８、及びＧＰＳ（Global Positioning System）受信モジュール１０９により構成されている。これらの構成要素が動作することにより、以下に説明する移動通信端末１０の各機能が発揮される。
【００３６】
図３に、情報配信サーバ２０のハードウェア構成を示す。図３に示すように、ＣＰＵ２０１、ＲＯＭ２０２、ＲＡＭ２０３、情報配信サーバ２０に対して情報を入力するためのキーボード等の入力装置２０４、情報を出力するためのモニタ等の出力装置２０５、データ送受信デバイスであるネットワークカード等の通信モジュール２０６、及びハードディスク等の補助記憶装置２０７を備えるコンピュータとして構成される。これらの構成要素を動作することにより、情報配信サーバ２０の後述する機能は発揮される。引き続いて、移動通信端末１０及び情報配信サーバ２０の機能について説明する。
【００３７】
図１に示されるように、移動通信端末１０は、機能的な構成として通信部１１、タイ
マ１３、測位部１２、情報蓄積部１４、送信判断部１５、配信要求信号送信部１６及び
出力部１７を備える。
【００３８】
通信部１１は、他の移動通信端末や固定電話などとの通話データやメールなどの各種データの送受信を行う。
【００３９】
測位部１２は、タイマ１３によって計時される時間を監視し、タイマ１３での計時値が所定の測位周期Ｔの時間間隔、例えば５分に到達すると測位周期が経過したと判断してＧＰＳ測位を行う。さらに、測位部１２は、ＧＰＳ測位で取得した位置情報を測位時刻に対応付けて情報蓄積部１４に記憶させると共に、タイマ１３をリセットする。ＧＰＳ測位では、少なくとも３以上のＧＰＳ衛星からのデータに基づいて緯度、経度を算出して、移動通信端末１０の位置情報を求める。なお、ＧＰＳ測位方式の代りに、セルベース測位方式、単一局測位方式、複数局測位方式等が用いられてもよい。
【００４０】
情報蓄積部１４は、測位部１２で取得した位置情報を測位時刻に対応付けで記憶し、複数の位置情報を保存する。さらに、移動通信端末１０が送信した位置情報に対して情報配信サーバ２０により配信されたその位置情報に近い上位Ｎ件のコンテンツ位置情報と、各コンテンツ位置情報に対応するコンテンツ情報と、その測位情報を含む特定エリア内のコンテンツ密度情報とを対応付けて記憶し、複数のコンテンツ情報を保存する。
【００４１】
なお、ここで、コンテンツ情報とは、レストラン、小売店、公園または公共施設などの情報が広く含まれるものである。また、コンテンツ位置情報とは、コンテンツ情報によって情報提供される場所を特定するための情報、すなわちコンテンツ情報の提供元となるレストランや小売店、特定の公園や公共施設などの位置を特定するための情報をいう。また、コンテンツ分布情報とは、コンテンツ情報がどの範囲内にどれくらい位置づけられているかを現すものであり、例えばその特定エリア内のコンテンツ密度が挙げられる。
【００４２】
また、コンテンツ密度は、測位位置を中心とする所定の円環の内側領域（特定エリア内）に位置づけられたコンテンツ情報の件数をＣ、同エリアの面積をＳとするとき、Ｃ／Ｓで算出される値が挙げられる。また、コンテンツ分布情報は、特定領域の内部に位置づけられたコンテンツ情報に対応するコンテンツ位置情報自体であってもよい。これにより、精度良くコンテンツ情報の分布に関する情報を把握することができる。また、移動通信端末の位置情報の示す位置の周辺にコンテンツ情報が少ない場合には通信量も問題にならない。
【００４３】
ただし、本実施形態においては、それぞれのコンテンツ情報に対応付けられたコンテンツ位置情報に基づき、コンテンツ情報を移動通信端末１０の位置からの距離について昇順に並べたとき、Ｎ番目となるコンテンツ情報を“Ｎ位のコンテンツ情報”と呼称する。また、1番目からＮ番目までのコンテンツ情報を“上位Ｎ件のコンテンツ情報”あるいは単に“最寄のコンテンツ情報”と呼ぶものとする。
【００４４】
タイマ１３は、測位部１２によってリセットが行われない限り継続して計時し、測位部１２による測位周期Ｔの経過判定に利用される。
【００４５】
送信判断部１５は、情報配信サーバ２０に配信要求信号を送信するか否かを決定する。具体的には、まず、測位部１２により取得した移動通信端末１０の位置情報に基づいて測位位置を特定する。その後、情報配信サーバ２０から取得し保持し続けているコンテンツ情報のうち最新の測位位置に近いコンテンツ位置情報に対応するＮ（Ｎ＞０）件数、例えば５件、のコンテンツ情報と、情報配信サーバ２０が保持しているコンテンツ情報のうち最新の位置情報に近いコンテンツ位置情報に対応する（Ｎ＞０）件数、例えば５件、のコンテンツ情報とを比較し、一致しないコンテンツ情報の件数をＣとして、誤り率Ｃ／Ｎを推定する。
【００４６】
推定した誤り率が予め設定された所定の閾値（例えば０．６）以上の場合には、情報配信を求める配信要求信号を情報配信サーバに送信することを決定する。一方、推定した誤り率が予め設定された所定の閾値（例えば０．６）未満の場合には、配信要求信号を情報配信サーバに送信しないことを決定する。位置情報を情報配信サーバに送信することの決定がなされた場合には、その旨が配信要求信号送信部１６に出力される。
【００４７】
配信要求信号送信部１６は、送信判断部１５から配信要求信号を情報配信サーバに送信する旨の決定の通知を受け、情報配信サーバ２０に対して情報配信を求める配信要求信号を送信する。具体的に説明すると、配信要求信号送信部１６は、送信判断部１５から配信要求信号を情報配信サーバに送信する旨の決定が通知されると、情報蓄積部１４に記憶されている位置情報のうち、測位時刻が最新の位置情報を抽出する。その後、その最新の位置情報を含む配信要求信号を情報配信サーバ２０に送信する。
【００４８】
出力部１７は、情報配信サーバ２０から配信情報を受信した時に、情報蓄積部１４に蓄積されたコンテンツ情報のうち、最新の受信時刻のコンテンツ情報を抽出して出力デバイス１０５に表示させる。
【００４９】
また、移動通信端末１０は、コンテンツ情報のジャンルを入力することができる入力部を備えていることが好ましい。これにより、飲食店、ホテルのようなコンテンツ情報のジャンル別に最寄のコンテンツ情報を移動通信端末１０のユーザが受信することができる。
【００５０】
情報配信サーバ２０は、図１に示されるように、機能的な構成として、配信要求信号受信部２１、配信情報記憶部２２、配信情報取得部２３、及び情報配信部２４を備える。  
配信情報記憶部２２には、コンテンツ情報とそのコンテンツ情報が配信される場所を特定するコンテンツ位置情報とが関連付けられて記憶されている。また、各コンテンツ情報には、“飲食店”、“ホテル”等のコンテンツ情報に付随する関連情報が更に関連付けられている。
【００５１】
配信要求信号受信部２１は、移動通信端末１０からの配信要求信号を受信し、その配信要求信号に含まれている移動通信端末１０の位置情報を抽出する。また、配信要求信号受信部２１は、その抽出された位置情報を配信情報取得部２３に通知する。
【００５２】
配信情報取得部２３は、配信要求信号受信部２１から通知された位置情報から特定される緯度、経度、すなわち測位地位に近い上位Ｎ件のコンテンツ位置情報と、その各コンテンツ位置情報に対応するコンテンツ情報とを配信情報記憶部２２から取得する。また、移動通信端末１０の測位位置の周辺のコンテンツ情報の分布に関する情報であるコンテンツ密度情報を取得する。ただし、移動通信端末１０のユーザにより入力部に所定の条件が入力された場合には、配信情報取得部２３は、その入力された条件に合致する関連情報が対応付けられているコンテンツとそのコンテンツ情報に対応するコンテンツ位置情報を取得し、またコンテンツ密度情報の取得においても、入力された条件に合致する関連情報に対応付けられているコンテンツ情報及びコンテンツ位置情報のみが考慮される。
【００５３】
引き続いて、取得したコンテンツ情報、コンテンツ位置情報、及びコンテンツ密度情報は、配信情報取得部２３により情報配信部２４に出力される。ここで、コンテンツ情報の分布に関する情報としては、測位位置を中心とする円環を描き、その円環の外側領域の全方位をメッシュ分割した領域のうちのある領域に位置づけられたコンテンツ情報の件数をＣ、同領域の面積をＳとするとき、Ｃ／Ｓで算出されるコンテンツ密度であってもよく、同領域の面積Ｓの内部に位置づけられたコンテンツ情報に対応するコンテンツ位置情報自体であってもよい。
【００５４】
情報配信部２４は、配信情報取得部２３から入力されたコンテンツ情報、コンテンツ位置情報、及びコンテンツ密度情報を移動通信端末１０に配信する。
【００５５】
引き続いて、本実施形態に係る情報配信システム１による情報配信処理について図４を用いて説明する
まず、測位部１２によりタイマ１３の計時値が測位周期Ｔを経過しているか否かが判断される（ステップＳ１１）。計時値が測位周期Ｔを経過していると判断された場合には、測位部１２によりＧＰＳ測位が実行されて移動通信端末１０の位置情報が取得される（ステップＳ１２）。その後、測位部１２は、取得した位置情報とＧＰＳ測位が実行された測位時刻とを対応付けて情報蓄積部１４に記憶させると共にタイマ１３をリセットする（ステップＳ１３）。
【００５６】
引き続いて、送信判断部１５により、過去に情報配信サーバ２０から受信し情報蓄積部１４に保持し続けているすべてのコンテンツ情報のうち移動通信端末１０の位置情報に近いコンテンツ情報に対応する上位Ｎ件のコンテンツ情報と、情報配信サーバ２０が保持するすべてのコンテンツ情報のうち最新の移動通信端末１０の位置情報に近いコンテンツ位置に対応する上位Ｎ件のコンテンツ情報とが比較され、一致しないコンテンツ情報の件数をＣとして、保存コンテンツ情報の誤り率（Ｃ／Ｎ）が推定される（ステップＳ１４）。なお、推定方法の詳細については、後述する。
【００５７】
次に、送信判断部１５により、推定された誤り率（推定誤り率）が配信要求をする閾値となる誤り率（目標誤り率）より大きいかが判断される（ステップＳ１５）。その結果、推定誤り率が目標誤り率より小さいと判断された場合には、情報配信サーバ２０に対する配信要求信号は情報配信サーバ２０に送信されずに、ステップＳ１１に戻り、以上のステップが繰り返される。
【００５８】
一方、推定誤り率が目標誤り率以上と判断されたときは、送信判断部１５により配信要求信号を送信することが決定された旨の通知が配信要求信号送信部１６に送信される。その後、配信要求信号送信部１６は、情報蓄積部１４に記憶されている最新の位置情報を抽出し、その抽出した位置情報を含む配信要求信号を情報配信サーバ２０に送信する（ステップＳ１６）。このとき、位置情報と共に測位時刻などの付随情報も送信される。
【００５９】
その後、情報配信サーバ２０の配信要求信号受信部２１は、移動通信端末１０から送信された配信要求信号を受信すると共に、その配信要求信号に含まれている移動通信端末１０の位置情報を取得する（ステップＳ２１）。その後、配信情報取得部２３は、取得した移動通信端末１０から特定された緯度、経度、すなわち測位位置に近い上位Ｎ件のコンテンツ位置情報に対応するコンテンツ情報と、その各コンテンツ情報に対応するコンテンツ位置情報と、最新の位置情報に基づく周辺のコンテンツ密度とを含む配信情報を移動通信端末１０に配信する（ステップＳ２２）。
【００６０】
その後、移動通信端末１０の通信部１１により情報配信サーバ２０から配信されたコンテンツ情報と、コンテンツ位置情報と、周辺のコンテンツ密度情報とを含む配信情報が受信され、受信された配信情報は受信時刻に対応付けられて情報蓄積部１４に記憶される（ステップＳ１７）。
【００６１】
移動通信端末１０では、以上のステップＳ１１〜ステップＳ１７の各処理を繰り返し実行し、情報配信サーバ２０では、ステップＳ２１及びステップＳ２２の各処理を実行する。すなわち、移動通信端末１０では測位周期Ｔに沿った時間間隔で繰り返しＧＰＳ測位を実行し、誤り率を算出し、誤り率が目標誤り率より大きいと判断した場合には、位置情報を含む配信要求信号を情報配信サーバ２０に送信する。情報配信サーバ２０では、移動通信端末１０から取得した位置情報に基づいて測位位置を特定し、測位位置に近い上位Ｎ件のコンテンツ位置情報に対応するコンテンツ情報と、その各コンテンツ情報に対応するコンテンツ位置情報と、最新の位置情報に基づく周辺のコンテンツ密度とを含む配信情報を移動通信端末１０に配信する。配信情報を受信した移動通信端末１０は、その配信情報を受信時刻に対応付けて情報蓄積手段に記憶する。
【００６２】
引き続いて、図５及び図６を参照して本実施形態の送信判断部１５による保存コンテンツ情報の誤り率の推定処理について説明する。図５は移動通信端末１０における誤り率の推定に係る手順を示すフローチャートである。図６は、図５のフローチャートを補足するものである。ここで、誤り率の対象とするコンテンツ情報の件数をＮとする。また、ここでは、移動通信端末１０は過去に情報配信サーバ２０から配信されたコンテンツ情報とコンテンツ位置情報とコンテンツ密度情報を含む配信情報はすべて破棄するものとし、最も新しい配信情報のみを情報蓄積部１４に保持するものとする。
【００６３】
はじめに、保存コンテンツ情報の誤り率を算出するのに参照される対象となるコンテンツ情報の件数Ｎが変数ｎに代入される（ステップＳ３１）。具体的には、移動通信端末１０が保持するコンテンツ情報の件数のうち、最新の測位位置を基準としたときに上位２件となるコンテンツ情報について誤り率を推定するときは、Ｎ＝２となり、ｎに２が代入される。
【００６４】
次に、送信判断部１５は、前回配信情報を配信したときの測位位置Ｐ０と、その際に受信したコンテンツ情報の中で測位位置Ｐ０からの距離が最大となるコンテンツ位置情報の対応付けられたコンテンツ情報Ｉ０と測位位置Ｐ０との距離ｒ０とを算出する。さらに、前回の情報配信から数えてｉ回目となる最新の測位位置Ｐｉと、前回の情報配信を受けたコンテンツ情報の中で測位位置Ｐｉからの距離がｎ番目に近いコンテンツ位置情報の対応付けられたコンテンツ情報Ｉｉ，ｎと測位位置Ｐｉとの距離ｒｉ，ｎと、測位位置Ｐ０と測位位置Ｐｉとの距離ｄｉ，ｎとを算出する。
【００６５】
その後、ｒ０＞ｄｉ，ｎ+ｒｉ，ｎの関係が満たされているか否かが判断される（ステップＳ３２）。その関係が満たされていると判断された場合には、誤り率が０と推定されると共に推定処理が終了される（ステップＳ３３）。
【００６６】
一方、この関係が満たされていないと判断された場合には、次のステップ（ステップＳ３４）に進む。ステップＳ３４においては、送信判断部１５により、測位位置Ｐｉを中心としｒｉ，ｎを半径とする円(Ｐｉ，ｒｉ，ｎ)の内側であって、測位位置Ｐ０を中心としｒ０を半径とする円(Ｐ０，ｒ０)と重なり合わない領域ａｉ，ｎの面積を算出する。更に、送信判断部１５は，図４のステップＳ１７において情報配信サーバ２０から受信して情報蓄積部１４に記憶されているコンテンツ密度情報を利用し、領域ａｉ，ｎの内側に位置づけられた未取得のコンテンツ情報の件数ｃｉ，ｎを推定する（ステップＳ３４）。ここでｃｉ，ｎは、測位位置Ｐｉからの距離がコンテンツ情報Ｉｉ，ｎよりも近い位置に対応づけられた未取得のコンテンツ情報の件数である。
【００６７】
次に、ｃｉ，ｎ＝Ｎ−ｎ又はｃｉ，ｎ＝Ｎ−ｎ＋１の関係を満たしているかが判断される（ステップＳ３５）。その結果、それらの関係を満たしている場合には、誤り率がｃｉ，ｎ／Ｎと推定されると共に推定処理が終了する（ステップＳ３６）。一方、これらの関係を満たしていない場合には、ステップＳ３７に進む。
【００６８】
ステップＳ３７においては、ｃｉ，ｎ＜Ｎ−ｎの関係を満たしているかが判断される（ステップＳ３７）。その結果、その関係を満たしていると判断された場合には、誤り率が（Ｎ−ｎ）／Ｎと推定されると共に推定処理が終了する（ステップＳ３８）。
【００６９】
一方、この関係を満たしていない場合には、ステップＳ３８に進む。ステップＳ３９においては、ｎ＝１の要件を満たしているかが判断される（ステップＳ３９）。その結果、その要件を満たしていると判断された場合には、誤り率が１と推定されると共に推定処理が終了する（ステップＳ４０）。一方、この要件が満たされていないときは、ｎにｎ−１の値が代入されると共にステップＳ３５に戻り、誤り率が算出されるまでステップＳ３４〜ステップＳ４１が繰り返される。
【００７０】
次に、図５のフローチャートに示した動作手順について、以下に具体例を用いて説明する。ここでは、情報配信サーバ２０は、移動通信端末１０の位置情報に近いコンテンツ情報として７つのコンテンツ情報Ｃ１，Ｃ２，Ｃ３，Ｃ４，Ｃ５，Ｃ６，Ｃ７を保持するものとし、それぞれのコンテンツ情報に対応するコンテンツ位置情報は、移動通信端末１０の位置に対して図７のような関係にあるとして情報配信サーバ２０に登録されているものとする。情報配信サーバ２０からの一度の情報配信において、最新の位置情報に対応する上位５件のコンテンツ情報が移動通信端末１０に配信されるものとする。
【００７１】
従って、図７の場合には、図８（ａ）に示す円１内に分布する５件のコンテンツ情報Ｃ１，Ｃ２，Ｃ３，Ｃ４，Ｃ５のみが移動通信端末１０に送信され、情報蓄積部１４に記憶される。なお、図８（ｂ）は、情報蓄積部１４にコンテンツ情報Ｃ１〜Ｃ５が記憶されている一例を示す。
【００７２】
また、情報配信サーバ２０からは最寄のコンテンツ情報（上位５件のコンテンツ情報）とともに、最新の位置情報の周辺におけるコンテンツ密度情報についても移動通信端末１０に送信される（ステップＳ１８）。本実施形態おいては、情報配信サーバ２０により、図９に挙げたような領域1の内部に位置づけられているコンテンツ情報の件数、および領域1の面積から、移動通信端末１０の周辺の領域1内部のコンテンツ密度が算出され、その算出されたコンテンツ情報の密度が移動通信端末１０に配信されるものとする。なお、領域1内部のコンテンツ密度が移動通信端末１０に配信される際には、領域１以外の円１周辺の全方位のコンテンツ密度値が情報配信サーバ２０から移動通信端末１０に送信されるものとする。
【００７３】
このような条件において、移動通信端末１０がもつ５件の保持コンテンツ情報のうち、最新の位置情報を基準としたときの上位２件（すなわち、Ｎ＝２）となるコンテンツ情報について、誤り率を推定する方法を以下に説明する。
【００７４】
はじめに、移動通信端末１０が図１０に示す測位位置Ｐｉ（ｉ＝１）に移動した場合を考える。このとき、図１１（ａ）に示されており移動通信端末１０が保持しているコンテンツ情報を、移動前の移動通信端末１０の近い方から順に上から下に並べたものが同図（ｂ）に示されている。また、移動通信端末１０が保持しているこのコンテンツ情報を移動後の移動通信端末１０に近い方から順に上から下に並び替えたものが同図（ｃ）に示されている。（なお、図１１（ｂ）に示されているコンテンツ情報は，後述する図１３（ｂ）、図１５（ｂ）、図１６（ｂ）、図１７（ｂ）及び、図１８（ｂ）に対応するものであり、図１１（ｃ）に示されているコンテンツ情報は図１３（ｃ）、図１５（ｃ）、図１６（ｃ）、図１７（ｃ）及び図１８（ｃ）に対応する）。
【００７５】
ここで、移動通信端末１０は上位２件（つまりＮ＝２）のコンテンツ情報Ｃ２，Ｃ１（図１１（ｄ）参照）を対象に誤り率の推定を行う。移動前の位置において配信されたコンテンツ情報はＣ１，Ｃ２，Ｃ３，Ｃ４，Ｃ５（図１１（ｂ）参照）であったことから、図１１（ａ）に描かれた円1の内部には未取得のコンテンツ情報が位置づけられていない（すなわち、ｃ１，２＝０）ことを移動通信端末１０は導くことができる。したがって、円１に包含される円２の内部にも未取得コンテンツ情報が存在し得ない（すなわち、ｃ１，２＝０）ことが導かれる（同図（ｃ）及び（ｄ）の点線領域参照）。
【００７６】
これにより、移動通信端末１０は上位２件に誤りがないと判断し、誤り率０と推定する。なお、円１に円２が包含される場合は、図５のフローチャートにおけるステップＳ３２において判断されるｒ０＞ｄｉ，ｎ+ｒｉ，ｎの関係を満たす。また、上記の誤り率０はステップＳ３３における推定値と一致している。
【００７７】
次に、移動通信端末１０がさらに移動し図１２（図１３（ａ）に対応）の測位位置Ｐｉ（ｉ＝２）に移った場合を考える。この場合は、ステップＳ３１を経て、ステップＳ３２においてｒ０＞ｄｉ，ｎ+ｒｉ，ｎの関係を満たすかが判断されるが、その関係を満たさないためステップＳ３４に進む。ステップＳ３４において、移動通信端末１０は保持しているコンテンツ情報（図１３（ｂ）参照）の上位２件（Ｎ＝２）のうち、最新の測位位置から最も遠い位置に対応づけられているコンテンツ情報Ｃ１（図１３（ｃ）参照）よりも近くに存在する未取得コンテンツ情報の件数ｃ２，２を推定する（ステップＳ３３）。
【００７８】
ｃ２，２推定方法としては、ステップＳ１７で受信した、図９に示される領域１のコンテンツ密度と、図１３の領域２の面積との積を算出することで、移動通信端末１０は領域２の内部に位置づけられている未登録コンテンツ情報の件数ｃ２，２を推定する方法が考えられる。
【００７９】
また、情報配信サーバ２０から送信されたコンテンツ密度情報が、図１４（ａ）及び（ｂ）のようなメッシュ状の領域毎に求められたコンテンツ密度情報である場合には、以下のようにｃ２，２を推定することができる。すなわち、図１４（ａ）の場合であれば、図１４（ｃ）に示すように、各メッシュ領域について非重複領域と重なる割合（同図においては、単位メッシュ領域Ａにおける非重複領域との重なる割合が５５％とされている。）を算出して、当該メッシュ領域のコンテンツ密度を掛け合わせ、全メッシュの総和をとることで、非重複領域内の未取得コンテンツ情報の件数を推定することができる。具体的に説明すると、単位メッシュ領域Ａ，Ｂ，Ｃ，Ｄ，Ｅ，Ｆそれぞれのコンテンツ密度をDＡ，DＢ，DＣ，DＤ，DＥ，DＦとすると、円３内の未取得コンテンツ情報の件数は（DＡ×５５＋DＢ×５０＋DＣ×２５＋DＤ×１５＋DＥ×２５＋DＦ×１５）／１００で得られた値に該当する。
【００８０】
また、図１４（ａ）及び（ｂ）に示すように、情報配信サーバ２０から送信されたコンテンツ密度情報がメッシュ状の領域毎に求められたコンテンツ情報の密度である場合には、サービス提供対象エリアにおける主要交通機関の動線に応じて、メッシュ形状を使い分けることが好ましい。具体的に説明すると、京都、札幌のように主要道路が碁盤目状である場合には図１４（ａ）のような矩形状メッシュ形状を用い、国内地方都市、ヨーロッパの都市のように道路や線路が放射状に配置された街の場合には図１４（ｂ）のような円形状メッシュ状を用いることが好ましい。
【００８１】
図１５（ｄ）に挙げたように、２件の未取得コンテンツ情報ｃ２，２が領域２内部に位置づけられている（ｃ２，２＝２）と移動通信端末１０が推定した場合、コンテンツＣ１より最新の測位位置に近いと推定されるコンテンツ情報３件のうち２件が未取得コンテンツ情報であるということは推定できるが、図１５（ｄ）に示したように、最新の測位位置からの距離の順位までを推定することは出来ない。
【００８２】
一般に上位Ｎ件の距離の順位が推定可能となるためには、図５のフローチャートのステップＳ３５において判断されるｃｉ，ｎ＝Ｎ−ｎ又はｃｉ，ｎ＝Ｎ−ｎ＋１の関係要件を満たすことがその条件となる。すなわち、この条件が満たされるときには距離の順位が推定可能なため、誤り率も推定可能である。しかし、移動通信端末１０が測位位置Ｐｉ（ｉ＝２）に移った場合には、図１５（ｄ）に示すように、ｃ２，２＝Ｎ＝ｎ＝２であるため同条件が満たさず、引き続き処理が行われる。さらに、ｃ２，２＝N＝ｎ＝２であるためステップＳ３７及びステップＳ３９における要件も満たさず、ステップＳ４１に進み、ｎ＝１となる。その後、ステップＳ３４に戻り、ステップＳ３４からステップＳ４１までが繰り返される。
【００８３】
具体的には、移動通信端末１０はコンテンツ情報の中で順位がひとつ上のコンテンツ情報Ｃ２（ｎ＝１）について、図１６のように同様の処理を実施する。その結果、図１６（ｄ）に示すように領域３の内部に１件の未取得コンテンツ情報が位置づけられていると推定された場合（ｃ２，１＝１）には、上位２件のうち１件はＣ２であり、もう1件は未取得コンテンツ情報であると推定できるため、移動通信端末１０はこれを誤り率０．５と判断する（同図（ｃ）及び（ｄ）の点線領域参照）。これを図５のフローチャートに対応させて説明すると、ｃ２，１＝１であり、Ｎ−ｎ＝２−１＝１であるため、ｃ２，１＝N−ｎとなり、ステップＳ３５において誤り率ｃ２，１／Ｎ＝０．５と推定される。
【００８４】
一方、図１７（ｄ）のように、領域３の内部に２件の未取得コンテンツ情報が位置づけられていると推定された場合（ｃ２，１＝２）には、上位２件はともに未取得コンテンツ情報であると推定されるため、誤り率は1であると判断される（同図（ｃ）及び（ｄ）の点線領域参照）。これを図５のフローチャートに対応させて説明すると、ｃ２，１＝N−ｎ＋１となるため、ステップＳ３５によって誤り率はｃ２，１/Ｎ=２/２=1と推定される。
【００８５】
また、図１８（ｄ）のように、領域３の内部には未取得コンテンツ情報が位置づけられていないと推定した場合（すなわち、ｃ２，１＝０）は、（上位）1位はＣ２であると推定されるが、これだけでは２位のコンテンツ情報を推定できない。しかし、図１５（ｄ）にあるように、上位３件のうち２件は未取得コンテンツ情報であると推定されている（ｃ２，２＝２）ため、上位１位が取得済みコンテンツ情報Ｃ２であったことを考慮すると２順位は未取得コンテンツ情報であると推定できる（図１５（ｅ）参照）。したがって、移動通信端末１０は誤り率を０．５と推定する（同図（ｃ）及び（ｄ）の点線領域参照）。これを図５のフローチャートに対応させて説明すると、ｃ２，１ < N−ｎとなるため、ステップＳ３９において誤り率(N−ｎ)/N=(２−１)/２=０．５と推定される。
【００８６】
以上の移動通信端末１０、情報配信サーバ２０、情報配信システム１及び情報配信方法によれば、情報配信サーバ２０は、位置情報を含む配信要求信号を送信した移動通信端末１０に対して、移動通信端末１０の位置情報に近い上位Ｎ件のコンテンツ位置情報、及び各コンテンツ位置情報に対応するコンテンツ情報のみならず、移動通信端末１０の位置情報の周辺に位置するコンテンツ情報の分布に関する情報をも配信する。
【００８７】
これにより、移動通信端末１０は、コンテンツ情報の分布に関する情報を考慮して情報配信サーバに配信要求信号を送信するか否かを決定し、必要である場合にのみ配信要求信号を送信することができる。そのため、従来のように、特定の位置情報に関連するコンテンツを記憶していない時に又は予め決められたタイミング間隔で自動的に配信要求信号が送信されることを回避することができる。従って、電力消費の効率化と移動に対する情報更新の追従性の両立を図ることができる。また、ネットワークの利用の観点からも効率的であり、遅延の少ないコンテンツ情報配信を実現することができる。
【００８８】
また、情報配信サーバ２０から配信情報を受信した移動通信端末１０は、その位置情報の周辺の未取得コンテンツ情報を含むコンテンツ情報の分布を推定することができる。これにより、移動通信端末１０の位置情報の周辺のコンテンツ情報の分布が一様でない場合であっても対応することができ、コンテンツ情報の分布が一様でない場合であっても上記の効果を得ることができる。
【００８９】
また、コンテンツ情報の分布に関する情報は、移動通信端末１０の位置情報に最も近いコンテンツ位置情報の周辺の特定領域の内部のコンテンツ密度又はその特定領域の内部に位置づけられたコンテンツ情報に対応するコンテンツ位置情報である。移動通信端末１０の位置情報の周辺に未取得コンテンツ情報を含むコンテンツ情報が多いと、コンテンツ情報の分布に関する情報として各コンテンツ情報に対応付けられたコンテンツ位置情報そのものが情報配信サーバから配信されると、通信量が多くなりバッテリ消費やネットワーク利用の観点から効率的ではない。
【００９０】
しかし、コンテンツ情報の分布に関する情報として統計的な値であるコンテンツ密度を利用することで、通信量を軽減し、効率的なバッテリ消費及びネットワーク利用を図ることができる。また、特定領域の内部に位置づけられたコンテンツ情報に対応するコンテンツ位置情報自体をコンテンツ情報の分布に関する情報とすることで、コンテンツ情報の分布に関する情報を精度良く把握することができる。また、移動通信端末の位置情報の周辺にコンテンツ情報が少ない場合には通信量も問題にならない。
【００９１】
また、特定領域は、移動通信端末の位置情報を中心とする円環を描き、該円環の外側領域をメッシュ分割した領域により特定される。一般的に、移動通信端末のユーザが次に進む方向は予測できない。これにより、未取得コンテンツ情報を含むコンテンツ情報密度を全方位に等しく移動通信端末が保持することができる。
【００９２】
これにより、移動通信端末が位置情報の周辺のコンテンツ情報を全方位に等しく保持することができ、移動通信端末のユーザが次に進む方向は予測できない場合であっても対応することができる。
【００９３】
以下、保持コンテンツ情報の誤り率の推定方法の変形例を説明する。本変形例においては、情報配信サーバ２０から移動通信端末１０に配信される位置情報の周辺に位置するコンテンツ情報の分布に関する情報が、移動通信端末１０の位置情報に最も近いコンテンツ位置情報の周辺の特定領域の内部の誤り率である。図１９（ａ）及び１９（ｂ）に示すように、この変形例においては、情報配信サーバ２０が円１の中心点を中心とする矩形状メッシュあるいは円形状メッシュを一定範囲内に描き移動通信端末１０が各メッシュの中心点に移動した場合の誤り率を一定領域内のすべてのメッシュについて情報配信サーバ２０が予め算出する。その結果が図１９（ａ）及び（ｂ）において、誤り率が目標誤り率未満であるメッシュには○が付けられており、誤り率が目標誤り率以上であるメッシュには×が付けられている。
【００９４】
その後、情報配信サーバ２０は、誤り率が目標誤り率未満となるメッシュの位置に関する情報のみを、ステップＳ２２において移動通信端末１０に送出する。
【００９５】
また、その送出されたメッシュの誤り率に関する情報は、情報蓄積部１４に記憶される。また、このような変形例において、送信判断部１５による情報配信サーバ２０に配信要求信号を送信するか否かの判断は、移動通信端末１０の現在位置が、情報蓄積部１４に記憶されているメッシュ内部に属するか否かを判断することで決定されることとなる。すなわち、情報蓄積部１４に記憶されているメッシュ内部に属さないと判定された場合は、誤り率が目標誤り率以上であると判定され、配信要求信号送信部１６により情報配信サーバ２０に対して配信要求信号が送信される。
【００９６】
本変形例では、情報配信サーバ２０から配信される位置情報の周辺に位置するコンテンツ情報の分布に関する情報が、移動通信端末１０の位置情報に最も近いコンテンツ位置情報の周辺の特定領域の内部の誤り率であるため、送信判断部１５において配信要求信号を送信するが否かが容易に判断せれる。
【００９７】
本発明は、前述した種々の実施形態に限定されるものではない。例えば、本実施形態では、コンテンツ情報の出力が配信情報を受信した時に、出力デバイスに表示させる態様を例にして説明したが、これに限られるものではない。例えば、折り畳み型の移動通信端末などにおいては、移動通信端末を閉じた状態ではコンテンツ情報の表示は行わず、移動通信端末を開いたときにのみ最新のコンテンツ情報を表示するようにしてもよい。
【図面の簡単な説明】
【００９８】
【図１】本実施形態に係る情報配信システムの機能的構成を示す図である。
【図２】本実施形態に係る移動通信端末のハードウェア構成を示す図である。
【図３】本実施形態に係る情報配信サーバのハードウェア構成を示す図である。
【図４】本実施形態に係る情報配信システムによる情報配信処理を説明するための図である。
【図５】本実施形態に係る移動通信端末における誤り率の推定に係る手順を示すフローチャートである。
【図６】図５のフローチャートを補足するための図である。
【図７】図５のフローチャートに示した動作手順の具体例を説明するための図である。
【図８】図５のフローチャートに示した動作手順の具体例を説明するための図である。
【図９】図５のフローチャートに示した動作手順の具体例を説明するための図である。
【図１０】図５のフローチャートに示した動作手順の具体例を説明するための図である。
【図１１】図５のフローチャートに示した動作手順の具体例を説明するための図である。
【図１２】図５のフローチャートに示した動作手順の具体例を説明するための図である。
【図１３】図５のフローチャートに示した動作手順の具体例を説明するための図である。
【図１４】本実施形態に係る情報配信サーバから配信されるメッシュ単位のコンテンツ密度情報を示す図である。
【図１５】図５のフローチャートに示した動作手順の具体例を説明するための図である。
【図１６】図５のフローチャートに示した動作手順の具体例を説明するための図である。
【図１７】図５のフローチャートに示した動作手順の具体例を説明するための図である。
【図１８】図５のフローチャートに示した動作手順の具体例を説明するための図である。
【図１９】本実施形態に係る保持コンテンツ情報の誤り率の推定方法の変形例を説明するための図である。
【符号の説明】
【００９９】
１…情報配信システム、１０…移動通信端末、１１…通信部、１２…測位部、１３…タイマ、１４…情報蓄積部、１５…送信判断部、１６…配信要求信号送信部、１７…出力部、２０…情報配信サーバ、２１…配信要求信号受信部、２２…配信情報記憶部、２３…配信情報取得部、２４…情報配信部。
【図１】
0005317541.tif 000002
【図２】
0005317541.tif 000003
【図３】
0005317541.tif 000004
【図４】
0005317541.tif 000005
【図５】
0005317541.tif 000006
【図６】
0005317541.tif 000007
【図７】
0005317541.tif 000008
【図８】
0005317541.tif 000009
【図９】
0005317541.tif 000010
【図１０】
0005317541.tif 000011
【図１１】
0005317541.tif 000012
【図１２】
0005317541.tif 000013
【図１３】
0005317541.tif 000014
【図１４】
0005317541.tif 000015
【図１５】
0005317541.tif 000016
【図１６】
0005317541.tif 000017
【図１７】
0005317541.tif 000018
【図１８】
0005317541.tif 000019
【図１９】
0005317541.tif 000020